(57)【要約】【課題】オフフック操作、および電話の着信などの際、操作者の設定によらないアニメーションを表示するとともに、操作者に通知すべき情報を表示する携帯電話機を提供する。【解決手段】所定期間における着信件数、所定期間における総リダイヤル件数、および登録された電話番号の件数を示す項目のうち少なくともいずれか一つの項目、ならびに予め項目の取り得る値に対応して、その項目の値に対応するメッセージおよびアニメーションを格納するための記憶部２０と、電話の着信を受けたとき、およびオフフック状態になったときの少なくともいずれかの場合、記憶部２０に格納された項目の値により特定されるメッセージおよびアニメーションを記憶部２０から読み出して表示部１０に所定の時間表示させる制御部３０とを有する構成である。【選択図】  図１
2004221947.tif 000002
【特許請求の範囲】
【請求項１】
表示部を備えた携帯電話機であって、
所定期間における着信件数、所定期間における総リダイヤル件数、および登録された電話番号の件数を示す項目のうち少なくともいずれか一つの項目、ならびに予め該項目の取り得る値に対応して、該項目の値に対応するメッセージおよびアニメーションを格納するための記憶部と、
電話の着信を受けたとき、およびオフフック状態になったときの少なくともいずれかの場合、前記記憶部に格納された項目の値により特定されるメッセージおよびアニメーションを前記記憶部から読み出して前記表示部に所定の時間表示させる制御部と、
を有する携帯電話機。
【請求項２】
表示部、および電子メールの送受信を実行するための構成を備えた携帯電話機であって、
所定期間における着信件数、所定期間における総リダイヤル件数、登録された電話番号の件数、および未開封メールの件数を示す項目のうち少なくともいずれか一つの項目、ならびに予め該項目の取り得る値に対応して、該項目の値に対応するメッセージおよびアニメーションを格納するための記憶部と、
電話の着信を受けたとき、オフフック状態になったとき、ならびに電子メールを送信および受信したときのうち少なくともいずれかの場合、前記記憶部に格納された項目の値により特定されるメッセージおよびアニメーションを前記記憶部から読み出して前記表示部に所定の時間表示させる制御部と、
を有する携帯電話機。
【請求項３】
開閉動作可能な蓋部を有し、
前記制御部は、
前記蓋部が開かれると、前記項目の値により特定されるメッセージおよびアニメーションを前記記憶部から読み出して前記表示部に所定の時間表示させる請求項１または２記載の携帯電話機。
【請求項４】
前記項目について、予め格納可能な件数が複数の範囲に分割され、
前記メッセージおよび前記アニメーションは前記範囲に対応して格納される請求項１乃至３のいずれか１項記載の携帯電話機。
【請求項５】
前記所定の時間内における所定の操作により、
前記制御部は、前記表示部に前記メッセージおよび前記アニメーションを表示させることを中止する請求項１乃至４のいずれか１項記載の携帯電話機。
【請求項６】
表示部を備えた携帯電話機による情報表示方法であって、
所定期間における着信件数、所定期間における総リダイヤル件数、および登録された電話番号の件数を示す項目のうち少なくともいずれか一つの項目、ならびに予め該項目の取り得る値に対応して、該項目の値に対応するメッセージおよびアニメーションを格納し、
電話の着信を受けたとき、およびオフフック状態になったときの少なくともいずれかの場合、格納された項目の値により特定されるメッセージおよびアニメーションを読み出して前記表示部に所定の時間表示させる情報表示方法。
【請求項７】
表示部、および電子メールの送受信を実行するための構成を備えた携帯電話機による情報表示方法であって、
所定期間における着信件数、所定期間における総リダイヤル件数、登録された電話番号の件数、および未開封メールの件数を示す項目のうち少なくともいずれか一つの項目、ならびに予め該項目の取り得る値に対応して、該項目の値に対応するメッセージおよびアニメーションを格納し、
電話の着信を受けたとき、オフフック状態になったとき、ならびに電子メールを送信および受信したときのうち少なくともいずれかの場合、格納された項目の値により特定されるメッセージおよびアニメーションを読み出して前記表示部に所定の時間表示させる情報表示方法。
【請求項８】
予め開閉動作可能な蓋部を備え、
前記蓋部が開かれると、前記項目の値により特定されるメッセージおよびアニメーションを読み出して前記表示部に所定の時間表示させる請求項６または７記載の情報表示方法。
【請求項９】
前記項目について、予め格納可能件数を複数の範囲に分割し、
前記メッセージおよび前記アニメーションを前記範囲に対応して格納する請求項６乃至８のいずれか１項記載の情報表示方法。
【請求項１０】
前記所定の時間内における所定の操作により、
前記表示部に前記メッセージおよび前記アニメーションを表示させることを中止する請求項６乃至９のいずれか１項記載の情報表示方法。
【発明の詳細な説明】
【０００１】
【発明の属する技術分野】
本発明は、表示部を備えた携帯電話機および情報表示方法に関する。
【０００２】
【従来の技術】
従来、液晶表示装置の表示部を備え、着信待ちの際の画面である待受画面にイラストやアニメーションを表示部に表示する携帯電話機がある。このような携帯電話機では、操作者が携帯電話機を操作して自分の好みの画面を待受画面に設定できる（例えば、特許文献１参照）。
【０００３】
【特許文献１】
特開２００２−３００２４１号公報
【０００４】
【発明が解決しようとする課題】
上述した従来の携帯電話機は、表示部に表示させるアニメーションを、操作者が設定するものであり、設定後は、操作者が設定を変更しない限り、同じアニメーションが表示される。操作者は、表示されるアニメーションに飽きると、携帯電話機を操作して新たなアニメーションに設定を変更しなければならず、手間がかかっていた。
【０００５】
本発明は上記したような従来の技術が有する問題点を解決するためになされたものであり、操作者によるオフフック操作、および電話の着信などの際、操作者の設定によらないアニメーションを表示するとともに、操作者に通知すべき情報を表示する携帯電話機および情報表示方法を提供することを目的とする。
【０００６】
【課題を解決するための手段】
上記目的を達成するための本発明の携帯電話機は、表示部を備えた携帯電話機であって、
所定期間における着信件数、所定期間における総リダイヤル件数、および登録された電話番号の件数を示す項目のうち少なくともいずれか一つの項目、ならびに予め該項目の取り得る値に対応して、該項目の値に対応するメッセージおよびアニメーションを格納するための記憶部と、
電話の着信を受けたとき、およびオフフック状態になったときの少なくともいずれかの場合、前記記憶部に格納された項目の値により特定されるメッセージおよびアニメーションを前記記憶部から読み出して前記表示部に所定の時間表示させる制御部と、
を有する構成である。
【０００７】
また、本発明の携帯電話機は、表示部、および電子メールの送受信を実行するための構成を備えた携帯電話機であって、
所定期間における着信件数、所定期間における総リダイヤル件数、登録された電話番号の件数、および未開封メールの件数を示す項目のうち少なくともいずれか一つの項目、ならびに予め該項目の取り得る値に対応して、該項目の値に対応するメッセージおよびアニメーションを格納するための記憶部と、
電話の着信を受けたとき、オフフック状態になったとき、ならびに電子メールを送信および受信したときのうち少なくともいずれかの場合、前記記憶部に格納された項目の値により特定されるメッセージおよびアニメーションを前記記憶部から読み出して前記表示部に所定の時間表示させる制御部と、
を有する構成である。
【０００８】
また、上記本発明の携帯電話機において、開閉動作可能な蓋部を有し、
前記制御部は、
前記蓋部が開かれると、前記項目の値により特定されるメッセージおよびアニメーションを前記記憶部から読み出して前記表示部に所定の時間表示させることとしてもよい。
【０００９】
また、上記本発明の携帯電話機において、前記項目について、予め格納可能な件数が複数の範囲に分割され、
前記メッセージおよび前記アニメーションは前記範囲に対応して格納されることとしてもよい。
【００１０】
さらに、上記本発明の携帯電話機において、前記所定の時間内における所定の操作により、
前記制御部は、前記表示部に前記メッセージおよび前記アニメーションを表示させることを中止することとしてもよい。
【００１１】
一方、上記目的を達成するための本発明の情報表示方法は、表示部を備えた携帯電話機による情報表示方法であって、
所定期間における着信件数、所定期間における総リダイヤル件数、および登録された電話番号の件数を示す項目のうち少なくともいずれか一つの項目、ならびに予め該項目の取り得る値に対応して、該項目の値に対応するメッセージおよびアニメーションを格納し、
電話の着信を受けたとき、およびオフフック状態になったときの少なくともいずれかの場合、格納された項目の値により特定されるメッセージおよびアニメーションを読み出して前記表示部に所定の時間表示させるものである。
【００１２】
また、本発明の情報表示方法は、表示部、および電子メールの送受信を実行するための構成を備えた携帯電話機による情報表示方法であって、
所定期間における着信件数、所定期間における総リダイヤル件数、登録された電話番号の件数、および未開封メールの件数を示す項目のうち少なくともいずれか一つの項目、ならびに予め該項目の取り得る値に対応して、該項目の値に対応するメッセージおよびアニメーションを格納し、
電話の着信を受けたとき、オフフック状態になったとき、ならびに電子メールを送信および受信したときのうち少なくともいずれかの場合、格納された項目の値により特定されるメッセージおよびアニメーションを読み出して前記表示部に所定の時間表示させるものである。
【００１３】
また、上記本発明の情報表示方法において、予め開閉動作可能な蓋部を備え、前記蓋部が開かれると、前記項目の値により特定されるメッセージおよびアニメーションを読み出して前記表示部に所定の時間表示させることとしてもよい。
【００１４】
また、上記本発明の情報表示方法において、前記項目について、予め格納可能件数を複数の範囲に分割し、
前記メッセージおよび前記アニメーションを前記範囲に対応して格納することとしてもよい。
【００１５】
さらに、上記本発明の情報表示方法において、前記所定の時間内における所定の操作により、
前記表示部に前記メッセージおよび前記アニメーションを表示させることを中止することとしてもよい。
【００１６】
（作用）
本発明では、電話の着信があったときやオフフック状態になったときに、格納された項目の値に対応するメッセージおよびアニメーションが表示部に表示されるため、操作者は格納された項目についての情報をメッセージとアニメーションから知ることができる。また、操作者の設定によらないアニメーションが表示される。
【００１７】
また、本発明では、電話の着信を受けたとき、オフフック状態になったとき、ならびに電子メールを送信および受信したときのうちいずれかの際に、格納された項目の値に対応するメッセージおよびアニメーションが表示部に表示されるため、操作者は格納された項目についての情報をメッセージとアニメーションから知ることができる。
【００１８】
また、本発明では、操作者が蓋部を開くと、格納された項目の値に対応するメッセージおよびアニメーションが表示部に表示されるため、操作者は格納された項目についての情報をメッセージとアニメーションから知ることができる。
【００１９】
また、本発明では、項目の件数を複数の範囲に分割し、各範囲に対応して、メッセージおよびアニメーションを格納するようにしているため、記憶部に格納するメッセージおよびアニメーションの数を少なくできる。
【００２０】
さらに、本発明では、所定の操作により、メッセージおよびアニメーションの表示が中止されるため、操作者は、早急に、電話をかけたり、電話を受けたりすることができる。
【００２１】
【発明の実施の形態】
本発明の携帯電話機は、予めメッセージおよびアニメーションを格納し、操作者による操作、および電話の着信などにおける動作の際、リダイヤル件数、および登録された電話番号の件数などの項目について値を読み出し、その値に対応するメッセージおよびアニメーションを表示することを特徴とする。
【００２２】
本発明の携帯電話機について説明する。なお、本発明の携帯電話機の表示部の構成および動作について説明し、一般的な電話機の機能および電子メール機能を実行するための構成についての詳細な説明は省略する。
【００２３】
図１は本発明の携帯電話機の一構成例を示すブロック図である。
【００２４】
図１に示すように、本発明の携帯電話機１００は、キャラクタのアニメーション（以下、単に「アニメーション」と称する）およびメッセージを表示するための表示部１０と、アニメーション情報およびメッセージを格納するための記憶部２０と、表示部１０に表示させるアニメーションを決定する制御部３０と、日時を管理するクロック部４０とを有する構成である。なお、携帯電話機１００は蓋部と本体部とを有する折り畳み式であり、表示部１０は蓋部に設けられ、記憶部２０、制御部３０およびクロック部４０は本体部に設けられている。また、蓋部が開いているか否かを識別するセンサ（不図示）が設けられ、センサは蓋部の開閉状態を示す信号を制御部３０に送信する。
【００２５】
次に、各構成について詳細に説明する。
【００２６】
記憶部２０は、電話番号を登録するためのテーブルである電話帳を格納し、電話帳には操作者の操作により登録された電話番号である登録電話番号、その登録電話番号により特定される相手側操作者の氏名、およびその登録電話番号で特定される携帯電話機の電子メールアドレスが登録されている。
【００２７】
また、記憶部２０は、操作者が電話をかけたときの着信側電話番号、発信日時およびそのリダイヤル回数を含む発信履歴情報、ならびに、着信を受けたときの発信側電話番号、および着信日時を含む着信履歴情報を格納する。また、受信した電子メールについて、メールの内容、および未開封メールの件数を格納する。
【００２８】
なお、発信履歴情報および着信履歴情報は、予め操作者の設定により、それぞれ発信日時、着信日時から所定の期間、記憶部２０に格納される。また、発信履歴情報および着信履歴情報の履歴情報について、予め格納可能な件数が設定され、履歴情報がその件数を超える場合は、発信または着信の日時の古い履歴情報から削除される。以下では、発信履歴情報として記憶部２０に格納されたものについて、リダイヤル回数の総数を総リダイヤル件数と称する。
【００２９】
また、記憶部２０には、以下のようにして、予め複数種類のメッセージ、およびメッセージに対応するアニメーションが格納されている。なお、上記総リダイヤル件数、着信履歴情報の件数、登録電話番号の件数、および未開封メールの件数は、携帯電話機１００が格納している情報を示すものであり、メッセージおよびアニメーションを決定するための項目となる。
【００３０】
各項目について、予め格納可能件数が複数の範囲に分割され、各範囲に対応するメッセージおよびアニメーションが格納されている。本実施例では、格納可能件数を三つの範囲に分割している。例えば、項目が総リダイヤル件数である場合、本実施例では最大格納件数が２０件であるため、格納可能件数が０件、１〜１９件、および２０件の三つの範囲に分割され、それぞれの範囲に対応するメッセージおよびアニメーションが格納されている。
【００３１】
ここで、格納されるメッセージの具体例について説明する。項目が総リダイヤル件数である場合、各範囲に対応するメッセージは、それぞれ「リダイヤルはありません。」、「リダイヤルが多くなってきました。」および「電話のかけすぎです。」となる。また、項目が着信履歴情報の件数である場合、各範囲に対応するメッセージは、それぞれ「着信はありません。」、「着信がありました。」および「多くの着信がありました。」となる。また、項目が登録電話番号の件数である場合、各範囲に対応するメッセージは、それぞれ「まだ電話番号を登録できます。」、「登録電話番号が多くなってきました。」および「電話帳が一杯です。」となる。さらに、項目が未開封メールの件数である場合、各範囲に対応するメッセージは、それぞれ「未開封メールはありません。」、「未開封メールがあります。」および「未開封メールがたくさんあります。」となる。
【００３２】
続いて、格納されるアニメーションの具体例について説明する。項目が総リダイヤル件数である場合、アニメーションのキャラクタが動物のニワトリであれば、上記各範囲に対応するアニメーションは、それぞれ卵、ひよこ、およびニワトリの画像となる。この場合、上記メッセージの「リダイヤルはありません。」、「リダイヤルが多くなってきました。」および「電話のかけすぎです。」のそれぞれに、卵、ひよこ、およびニワトリの画像のそれぞれが対応して格納される。また、キャラクタが人であれば、各範囲に対応するアニメーションは、それぞれ赤ん坊、子供、および大人の画像となる。さらに、キャラクタが机の上に積まれた書類を示すものであれば、上記各範囲に対応するアニメーションは、件数に応じて書類が増える画像となる。なお、他の項目についても、総リダイヤル件数の場合と同様にアニメーションが設定され、項目毎にキャラクタの種類が異なるように設定される。
【００３３】
また、記憶部２０には、予め一日の２４時間が朝、昼、および夜の３つの時間帯に分割され、朝、昼、および夜の時間帯に対応して「おはよう」、「こんにちは」、および「こんばんは」のあいさつ文が格納されている。
【００３４】
また、あいさつ文、メッセージおよびアニメーションを表示部１０にどのくらい表示させるかの時間である情報提示時間が予め操作者により設定されている。
【００３５】
さらに、受信および着信待ち状態の際、表示部１０に表示させるための待受画面の情報を格納する。
【００３６】
制御部３０は、プログラムを格納するためのメモリ３４と、プログラム制御により所定の処理を実行するＣＰＵ３２とを備えている。
【００３７】
制御部３０は、オフフック状態になったとき、電子メールを送信したとき、蓋部が開いた状態になったとき、電話の着信を受けたとき、および電子メールを受信したときのいずれかにおいて、総リダイヤル件数、着信履歴情報の件数、登録電話番号の件数、および未開封メールの件数を読み出し、それぞれの件数に対応してメッセージおよびアニメーションを決定する。続いて、メッセージおよびアニメーションを決定したときの時刻をクロック部４０で確認し、上記時間帯のうち、確認した時刻が該当する時間帯に対応するあいさつ文を記憶部２０から選択し、あいさつ文、メッセージおよびアニメーションを予め設定された情報提示時間、表示部１０に表示させる。
【００３８】
次に、上述した構成を有する携帯電話機１００がメッセージおよびアニメーションを表示する動作について説明する。なお、ここでは、操作者が携帯電話機１００を折り畳んだ状態から蓋部を開いた場合について説明し、情報提示時間は５秒に設定されているものとする。
【００３９】
図２は携帯電話機がメッセージおよびアニメーションを表示する動作の概要を示すブロック図である。
【００４０】
操作者が携帯電話機１００の電源を入れた後折り畳むと、蓋部が閉じられた状態であることを示す信号をセンサ（不図示）から受信した制御部３０は、着信および受信待ちの状態にするとともに、記憶部２０から待受画面の情報を読み出して表示部１０に表示させる。操作者が携帯電話機１００を折り畳んだ状態から蓋部を開くと、蓋部が開かれた状態であることを示す信号をセンサ（不図示）から受信した制御部３０は、後述する方法によりメッセージおよびアニメーションを決定するための項目を調べる。
【００４１】
制御部３０は、調べた項目により記憶部２０からメッセージおよびメッセージに対応するアニメーションを決定すると、現在時刻からあいさつ文を選択し、あいさつ文、メッセージおよびアニメーションを表示部１０に表示させる。制御部３０は、あいさつ文、メッセージおよびアニメーションを５秒間表示させた後、記憶部１０から待受画面の情報を読み出して表示部１０に表示させる。
【００４２】
次に、制御部３０が、各項目についてのメッセージおよびアニメーション、ならびにあいさつ文を決定する動作について簡単に説明する。
【００４３】
図３は制御部が、各項目についてのメッセージおよびアニメーション、ならびにあいさつ文を決定する動作を示すフローチャートである。
【００４４】
操作者が携帯電話機１００の蓋部を開くと、制御部３０は、総リダイヤル件数を記憶部２０から読み出し、後述する方法により総リダイヤル件数に対応して、メッセージおよびアニメーションを決定する。続いて、着信履歴情報の件数、登録電話番号の件数、および未開封メールの件数の順に、上記総リダイヤル件数と同様に、件数に対応して、それぞれメッセージおよびアニメーションを決定する。
【００４５】
続いて、クロック部４０で現在時刻を確認し、現在時刻に対応する時間帯のあいさつ文を記憶部２０から選択すると、あいさつ文の他、総リダイヤル件数、着信履歴情報の件数、登録電話番号の件数、および未開封メールの件数のそれぞれにより決定されたメッセージおよびアニメーションを表示部１０に５秒間表示させる。
【００４６】
次に、制御部３０が総リダイヤル件数からメッセージおよびアニメーションを決定する動作について説明する。
【００４７】
図４は制御部が総リダイヤル件数からメッセージおよびアニメーションを決定する動作を示すフローチャートである。
【００４８】
操作者が携帯電話機１００の蓋部を開くと、制御部３０は、記憶部２０から総リダイヤル件数を読み出す。続いて、図４に示すように、読み出した総リダイヤル件数が０件、１〜１９件、および２０件のいずれの範囲に該当するかを確認し、該当する範囲で特定されるメッセージおよびアニメーションを選択する。総リダイヤル件数が、例えば、１５件であれば、制御部３０は、メッセージ２およびアニメーション２を選択する。
【００４９】
本発明では、上述のようにして、操作者による操作、電話の着信、および電子メールの受信などにおける動作の際、格納している情報を読み出し、操作者に通知すべき内容をメッセージにして表示部に表示させる。そのため、メッセージから、操作者は、電話の使用状況、着信の有無、および未開封メールの有無等の情報を知ることができる。
【００５０】
また、メッセージに対応して、電話の使用状況、着信の有無、および未開封メールの有無等の情報を示すアニメーションが表示されるため、操作者はアニメーションからもこれらの情報を知ることができる。
【００５１】
さらに、操作者の設定によらないで、格納された情報に応じて、種々のアニメーションが表示されるため、操作者は、どのようなアニメーションが表示されるかを予測できず、表示されるアニメーションを楽しむことができる。
【００５２】
なお、上述のような表示の他、電話の着信の場合には、発信側電話番号に一致する登録電話番号を電話帳で特定し、登録電話番号と共に登録された相手側操作者の氏名を表示部１０に表示させるようにしてもよい。この場合、操作者は、表示部１０を見ることで、誰からの電話であるかをすぐに確認できる。
【００５３】
また、操作者が予め携帯電話機１００を操作して記憶部２０に音楽を格納し、携帯電話機１００が、操作者の操作により、格納した音楽をスピーカ（不図示）を介して出力する際、上述のようにして、制御部３０が各項目の数値を読み出し、その数値から選択したメッセージおよびアニメーションを表示部１０に表示させるようにしてもよい。
【００５４】
また、予め設定された操作、例えば、オフフックボタンを押す操作によりメッセージおよびアニメーション等の表示を中止させることができるようにしてもよい。操作者は、蓋部を開いた後すぐに電話をかけたいとき、オフフックボタンを押すことで、あいさつ文、メッセージおよびアニメーションの表示を中止させることができる。また、着信の際も同様の操作により、操作者はすぐに電話にでることができる。
【００５５】
また、上記実施例のように、各項目について、メッセージおよびアニメーションを３通り示したが、３通りに限られない。例えば、総リダイヤル件数について、０〜２０件を三つの範囲に分割する場合を示したが、それ以上に分割してもよい。さらに、件数に応じてメッセージおよびアニメーションが変化するようにしてもよい。
【００５６】
また、記憶部２０からメッセージおよびアニメーションを決定するための項目は、上記実施例に限られない。また、上記項目は、総リダイヤル件数、着信履歴情報の件数、登録電話番号の件数、および未開封メールの件数のうちの少なくともいずれか一つ含むものであってもよい。
【００５７】
また、例えば、総リダイヤル件数が最大格納件数に達している場合、アニメーションのキャラクタが携帯電話機を持っている状態を示すものであってもよい。これにより、操作者はキャラクタの様子から電話のかけすぎを忠告する旨の情報を知ることができる。
【００５８】
また、メッセージに対応して格納されるアニメーションは、動画に限らず、静止画であってもよい。
【００５９】
さらに、上述のような折り畳み式の携帯電話機に限らず、折り畳み式でない携帯電話機であってもよい。折り畳み式でない携帯電話機の場合、着信および受信待ちの状態から、オフフック状態になったとき、および電子メールを送信したときなどの操作者による操作を検出したとき、ならびに電話の着信を受けたとき、および電子メールを受信したときのいずれかに、上述の方法により、あいさつ文、メッセージおよびアニメーションを表示部１０に表示させるようにしてもよい。
【００６０】
図５は折り畳み式でない携帯電話機に着信があった場合の表示例を示す図である。図５に示すように、携帯電話機１１０の表示部１０には、着信があった旨を示すメッセージ、およびアニメーションが表示される。
【００６１】
【発明の効果】
本発明は以上説明したように構成されているので、以下に記載する効果を奏する。
【００６２】
本発明では、操作者による操作、電話の着信、および電子メールの受信などにおける動作の際、メッセージおよびアニメーションが携帯電話機に表示され、携帯電話機に格納された情報がイメージとして確認できるだけでなく、操作者の遊び心をくすぐるアミューズメント的な効果がある。
【図面の簡単な説明】
【図１】本発明の携帯電話機の一構成例を示すブロック図である。
【図２】本発明の携帯電話機の動作概要を示すブロック図である。
【図３】制御部が、各項目についてのメッセージおよびアニメーション、ならびにあいさつ文を決定する動作を示すフローチャートである。
【図４】制御部が総リダイヤル件数からメッセージおよびアニメーションを決定する動作を示すフローチャートである。
【図５】折り畳み式でない携帯電話機に着信があった場合の表示例を示す図である。
【符号の説明】
１０    表示部
２０    記憶部
３０    制御部
３２    ＣＰＵ
３４    メモリ
４０    クロック部
１００、１１０    携帯電話機
【図１】
2004221947.tif 000003
【図２】
2004221947.tif 000004
【図３】
2004221947.tif 000005
【図４】
2004221947.tif 000006
【図５】
2004221947.tif 000007